(57)【要約】【課題】搬送中の膜モジュールの損傷を防ぐための膜モジュール用梱包箱、及び梱包物を提供することを目的とする。【解決手段】本発明の膜モジュール用梱包箱は、分離膜１１と、該分離膜１１の端部を収容する集水管１０とを有する膜モジュールを梱包するための梱包箱であって、膜モジュールを収容する箱本体１と、膜モジュールの集水管１０が移動するのを規制する位置規制手段とを具備する。【選択図】  図２
2004217277.tif 000002
【特許請求の範囲】
【請求項１】
分離膜と、該分離膜の端部を収容する集水管とを有する膜モジュールを梱包するための梱包箱であって、
前記膜モジュールを収容する箱本体と、
膜モジュールの集水管が移動するのを規制する位置規制手段とを具備することを特徴とする膜モジュール用梱包箱。
【請求項２】
前記位置規制手段が、集水管端部を集水管の長手方向に対して平行にある箱本体の内壁（ａ）との間に挟み込むように、箱本体の内壁（ａ）に直行する内壁（ｂ）に設けられた仕切り部材であることを特徴とする請求項１記載の膜モジュール用梱包箱。
【請求項３】
前記位置規制手段が、箱本体とは別部材である支持板と、集水管端部を集水管の長手方向に対して平行にある箱本体の内壁（ａ）との間に挟み込むように、支持板に設けられた仕切り部材とからなることを特徴とする請求項１記載の膜モジュール用梱包箱。
【請求項４】
前記分離膜が、複数の中空糸膜をシート状に束ねた中空糸膜束からなることを特徴とする請求項１〜３のいずれかに記載の膜モジュール用梱包箱。
【請求項５】
前記分離膜が平膜からなることを特徴とする請求項１〜３のいずれかに記載の膜モジュール用梱包箱。
【請求項６】
請求項１〜５のいずれかに記載の膜モジュール用梱包箱に、膜モジュールを配置させ、集水管が移動するのを規制するように収容してなることを特徴とする梱包物。
【発明の詳細な説明】
【０００１】
【発明の属する技術分野】
本発明は、膜モジュールを搬送するために用いられる膜モジュール用梱包箱、及び梱包物に関する。
【０００２】
【従来の技術】
従来、中空糸膜、平膜などの分離膜を利用した膜モジュールは、無菌水、飲料水、高度純水の製造、空気の浄化等に数多く使用されてきた。これらの用途に加えて、近年では、下水処理場における２次処理、３次処理や、浄化槽における固液分離、産業廃水中のＳＳ（懸濁物質）の固液分離など、高汚濁性水の処理用途に使用されるようになってきている。
【０００３】
現在使用されている膜モジュールの一例としては、図５に示すように、内部に中空部（集水部）を有する集水管１０に、複数の中空糸膜を束ねた中空糸膜束や平膜からなる分離膜１１の端部を収容した膜モジュール２０が挙げられる（例えば、特許文献１参照）。このような膜モジュール２０を製品として出荷する際は、例えば、段ボール箱に膜モジュール２０を複数配列、集積させて梱包し、搬送している。
【０００４】
【特許文献１】
特開平７−９６１４９号公報
【０００５】
【発明が解決しようとする課題】
しかしながら、膜モジュール２０は単に配列、集積され収容されているため、搬送中の振動などにより揺れると、段ボール箱内において膜モジュール２０の集水管１０が移動してしまう。集水管１０が上下左右に移動すると、その端部を集水管１０に収容された分離膜１１に負荷が生じ、その結果、分離膜１１が折れ曲がったり、湾曲して損傷してしまう場合がある。分離膜１１の損傷は濾過性能に支障をきたし、欠陥品になってしまうことがあった。
本発明は、上記事情に鑑みてなされたものであって、搬送中の膜モジュール２０の損傷を防ぐための膜モジュール用梱包箱、及び梱包物を提供することを目的とする。
【０００６】
【課題を解決するための手段】
本発明の膜モジュール用梱包箱は、分離膜と、該分離膜の端部を収容する集水管とを有する膜モジュールを梱包するための梱包箱であって、膜モジュールを収容する箱本体と、膜モジュールの集水管が移動するのを規制する位置規制手段とを具備すること特徴とする。
また、上記位置規制手段が、集水管端部を集水管の長手方向に対して平行にある箱本体の内壁（ａ）との間に挟み込むように、箱本体の内壁（ａ）に直行する内壁（ｂ）に設けられた仕切り部材であることが好ましい。
また、上記位置規制手段が、箱本体とは別部材である支持板と、集水管端部を集水管の長手方向に対して平行にある箱本体の内壁（ａ）との間に挟み込むように、支持板に設けられた仕切り部材とからなることが好ましい。
また、上記分離膜が、複数の中空糸膜をシート状に束ねた中空糸膜束からなることが好ましい。
また、上記分離膜が平膜からなることが好ましい。
本発明の梱包物は、上記膜モジュール用梱包箱に、膜モジュールを配置させ、集水管が移動するのを規制するように収容してなることを特徴とする。
【０００７】
【発明の実施の形態】
本発明の膜モジュール用梱包箱に適用する膜モジュールとしては、図５に示すように、シート状の分離膜１１と、分離膜１１の両側端部を収容する集水管１０とを有する構造のものであれば特に制限はないが、例えば、搬送中の振動などにより、分離膜１１の損傷を受け易い中空糸膜束を分離膜とする膜モジュール２０に好適である。
【０００８】
本発明の膜モジュール用梱包箱は、膜モジュールを配列、集積させて収容するための箱本体と、膜モジュールの集水管が移動するのを規制する位置規制手段とを具備する。以下、実施形態例を挙げて本発明の膜モジュール用梱包箱を具体的に説明する。
【０００９】
（実施形態例１）
図１は、本発明の膜モジュール用梱包箱の一実施形態例を示す斜視図で、図２は、図１の膜モジュール用梱包箱に膜モジュールを収容したときの上面図である。
本実施形態例に用いられる箱本体１としては、例えば、段ボール箱や、プラスチック製の容器等が挙げられるが、その材質、大きさ等は、膜モジュールの大きさや状態に合わせて適宜選択することができる。
【００１０】
本実施形態例は、図２に示すように、位置規制手段が集水管端部１０ａを集水管１０の長手方向に対して平行にある箱本体１の内壁２ａとの間に挟み込むように、箱本体１の内壁２ａに直行する内壁２ｂに設けられた仕切り部材３であることを特徴とする。
仕切り部材３の形状に特に制限はないが、図１に示すようなパイプ状、四角柱のものが例示できる。また、仕切り部材３の材質としても特に制限はなく、箱本体１に合わせて適宜選択できる。
【００１１】
本実施形態例においては、箱本体１としてプラスチック製の容器を採用することが好ましい。プラスチック製の容器であれば、図１、図２に示すように成形することによって、別部材としての仕切り部材３を箱本体１に固定する手間が省ける。また、使用済みの膜モジュールの汚れを洗浄するために、膜モジュールを洗浄場所まで輸送する場合や、洗浄した膜モジュールを浄水施設等に返送する場合、濡れた状態の膜モジュールをそのまま梱包、搬送することができる。更に、プラスチック製の容器であれば、使い捨てにならないので経済的にも好ましい。
【００１２】
本実施形態例においては、上記のように、仕切り部材３を予め箱本体１と一体化して製造可能な場合を除いて、膜モジュールを収容した際に集水管端部１０ａを箱本体の内壁２ａとの間に挟み込むように、箱本体１の内壁２ｂに仕切り部材３を固定して一体化する必要がある。固定方法としては、箱本体１と仕切り部材３との組み合わせを考慮して、公知の接着剤を用いた接着方法を利用することができる。例えば、段ボール製の箱本体１および仕切り部材３を用いる場合は、ホットメルト接着剤や、物理的な固定方法であるステッチなどを利用することができ、固定強度の観点から、接着方法と物理的固定方法を併用することが好ましく、例えば、ホットメルト接着剤とステッチとを併用することが望ましい。
【００１３】
このように、集水管端部１０ａを集水管１０の長手方向と平行にある箱本体１の内壁２ａと、内壁２ｂに設けられた仕切り部材３との間に挟みこむことによって、膜モジュールの集水管端部１０ａの位置が固定されるため、集水管１０の移動が抑制され、分離膜１１の損傷を防ぐことができる。
【００１４】
（実施形態例２）
図３は、膜モジュール用梱包箱の別の一実施形態例を示す斜視図であって、図４は、図３の膜モジュール用梱包箱に膜モジュールを収容したときの上面図である。
本実施形態例は、位置規制手段が、箱本体１とは別部材である支持板４と、集水管端部１０ａを集水管１０の長手方向と平行にある箱本体の内壁２ａとの間に挟み込むように、支持板４に設けられた仕切り部材３とからなることを特徴とする。なお、前実施形態例と共通する部分については説明を省略する。
【００１５】
箱本体１とは別部材である支持板４は、膜モジュールを梱包する際に、箱本体１の内壁２ｂに隣接するように挿入される。このとき、支持板４の幅ｌが短すぎると本発明による効果を発揮できなくなるので、箱本体１の内壁２ｂの幅Ｌに合うように設計されることが好ましい。また、支持板４の材質は特に制限はなく、箱本体１や仕切り部材３に合わせて適宜選択できる。
【００１６】
本実施形態例において仕切り部材３は、予め支持板４と一体化して製造可能な場合を除いて、膜モジュールを収容した際に集水管端部１０ａを箱本体１の内壁２ａとの間に挟み込むように、支持板４に接着される必要がある。その接着方法としては、前実施形態例と同様に、箱本体１と仕切り部材３との組み合わせを考慮して、公知の固定方法から適宜選択できる。
【００１７】
本実施形態例においては、箱本体１として段ボール箱が特に好ましい。本実施形態例は箱本体１と位置規制手段が別部材であるので、膜モジュールを収容していないときには位置規制手段を箱本体１から取り外し、段ボール箱であれば折り畳みが可能なので占有面積が少なくて済む。
【００１８】
このように、集水管端部１０ａを集水管１０の長手方向と平行にある箱本体１の内壁２ａと、箱本体１とは別部材である支持板４に設けられた仕切り部材３との間で挟み込むことによって、膜モジュールの集水管端部１０ａの位置が固定されるため、集水管１０の移動が抑制され、分離膜１１の損傷を防ぐことができる。
【００１９】
本発明の膜モジュール用梱包箱は、製品として出荷するために梱包する場合のみならず、上述したように、使用済みの濡れた状態の膜モジュールを搬送する場合等、様々なケースで使用可能である。
【００２０】
本発明の梱包物は、上記膜モジュール用梱包箱に、１個または複数個の膜モジュールを配列、集積させ収容してなる。
【００２１】
【発明の効果】
本発明の膜モジュール用梱包箱によれば、位置規制手段により膜モジュールの集水管端部が固定され、集水管の移動が抑制されているため、分離膜を損傷することなく搬送することが可能である。
【図面の簡単な説明】
【図１】本発明の膜モジュール用梱包箱の一実施形態を示す斜視図である。
【図２】図１の膜モジュール用梱包箱に、膜モジュールを収容したときの上面図である。
【図３】本発明の膜モジュール用梱包箱の別の実施形態例を示す斜視図である。
【図４】図３の膜モジュール用梱包箱に、膜モジュールを収容したときの上面図である。
【図５】従来の膜モジュールの一例を示す斜視図である。
【符号の説明】
１・・・箱本体
２ａ・・・箱本体の内壁
２ｂ・・・箱本体の内壁
３・・・仕切り部材
４・・・支持板
１０・・・集水管
１０ａ・・・集水管端部
１１・・・分離膜
２０・・・膜モジュール
【図１】
2004217277.tif 000003
【図２】
2004217277.tif 000004
【図３】
2004217277.tif 000005
【図４】
2004217277.tif 000006
【図５】
2004217277.tif 000007